(57)【要約】      （修正有）【課題】衛星放送信号を、ＩＰ網を介して効率良く伝送する、伝送システムを提供する。【解決手段】衛星放送信号を送信装置から受信装置にＩＰ網を介して伝送する伝送システムの送信装置１０において、衛星放送信号を入力する入力手段（ＲＦチューナ１４）と、入力手段から入力された衛星放送信号を復調してデジタルデータを得る復調手段（復調処理部１５）と、復調手段によって得られたデジタルデータをパケット化するパケット化手段（ＩＰパケット生成部１６）と、パケット化手段によって得られたパケットに対して、再生の順序およびタイミングを示す同期情報を付加する付加手段（ＩＰパケット生成部１６）と、付加手段によって同期情報が付加されたパケットを、ＩＰ網を介して送信する送信手段（伝送処理部１７）と、を有する。【選択図】図２
2018085711.tif 000002
【特許請求の範囲】
【請求項１】
衛星放送信号を送信装置から受信装置にＩＰ網を介して伝送する伝送システムにおいて、
前記送信装置は、
前記衛星放送信号を入力する入力手段と、
前記入力手段から入力された前記衛星放送信号を復調してデジタルデータを得る復調手段と、
前記復調手段によって得られた前記デジタルデータをパケット化するパケット化手段と、
前記パケット化手段によって得られたパケットに対して、再生の順序およびタイミングを示す同期情報を付加する付加手段と、
前記付加手段によって前記同期情報が付加された前記パケットを、前記ＩＰ網を介して送信する送信手段と、を有し、
前記受信装置は、
前記ＩＰ網を介して伝送された前記パケットを受信する受信手段と、
前記受信手段によって受信された前記パケットを前記同期情報に基づいて同期した後にデジタルデータ化するデータ化手段と、
前記データ化手段によって得られた前記デジタルデータを、所定の変調方式で変調してベースバンド信号を得る変調手段と、
前記ベースバンド信号をアナログ信号に変換するデジタルアナログ変換手段と、
前記デジタルアナログ変換手段によって得られたアナログ信号の周波数を変換し、元の前記衛星放送信号を得る周波数変換手段と、
を有することを特徴とする伝送システム。
【請求項２】
前記変調手段および前記復調手段は、各位相シフトキーイングおよび各相振幅位相シフトキーイングによって変調および復調を行うことを特徴とする請求項１に記載の伝送システム。
【請求項３】
前記付加手段は、ＲＴＰ（Real-time Transport Protocol）に基づいて前記パケットの再生の順序およびタイミングを示す前記同期情報を生成し、
前記データ化手段は、前記同期情報に基づいて前記パケットを同期した後にデジタルデータ化する、
ことを特徴とする請求項１または２に記載の伝送システム。
【請求項４】
前記付加手段は、ＲＴＣＰ（Real-time Control Protocol）に基づいて前記パケットのパケット間ジッタおよびクロックスキューを算出するための送信時間を示す前記同期情報を生成し、
前記データ化手段は、前記同期情報に基づいて前記パケットのクロックスキューおよびパケット間ジッタを調整した後にデジタルデータ化する、
ことを特徴とする請求項１乃至３のいずれか１項に記載の伝送システム。
【請求項５】
前記送信装置は、前記衛星放送信号に含まれている複数のトランスポンダから１または複数のトランスポンダを選択して前記パケットに変換して前記ＩＰ網を介して送信し、
前記受信装置は、前記送信装置から前記ＩＰ網を介して送信された前記パケットから１または複数のトランスポンダに対応する放送信号を生成し、合成手段によって合成する、
ことを特徴とする請求項１乃至４のいずれか１項に記載の伝送システム。
【請求項６】
前記周波数変換手段の後段に配置され、前記衛星放送信号を分配する分配手段を有することを特徴とする請求項１乃至５のいずれか１項に記載の伝送システム。
【請求項７】
前記分配手段は、前記衛星放送信号に対応する電気信号を分配することを特徴とする請求項６に記載の伝送システム。
【請求項８】
前記分配手段は、前記衛星放送信号に対応する電気信号を光信号に変換し、前記光信号を分配することを特徴とする請求項６に記載の伝送システム。
【請求項９】
衛星放送信号を送信装置から受信装置にＩＰ網を介して伝送する伝送システムの前記送信装置において、
前記衛星放送信号を入力する入力手段と、
前記入力手段から入力された前記衛星放送信号を復調してデジタルデータを得る復調手段と、
前記復調手段によって得られたデジタルデータをパケット化するパケット化手段と、
前記パケット化手段によって得られたパケットに対して、再生の順序およびタイミングを示す同期情報を付加する付加手段と、
前記付加手段によって前記同期情報が付加された前記パケットを、前記ＩＰ網を介して送信する送信手段と、
を有することを特徴とする送信装置。
【請求項１０】
衛星放送信号を送信装置から受信装置にＩＰ網を介して伝送する伝送システムの前記受信装置において、
前記ＩＰ網を介して伝送されたパケットを受信する受信手段と、
前記受信手段によって受信された前記パケットを、再生の順序およびタイミングを示す同期情報に基づいて同期した後にデジタルデータ化するデータ化手段と、
前記データ化手段によって得られたデジタルデータを、所定の変調方式で変調してベースバンド信号を得る変調手段と、
前記ベースバンド信号をアナログ信号に変換するデジタルアナログ変換手段と、
前記デジタルアナログ変換手段によって得られたアナログ信号の周波数を変換し、元の前記衛星放送信号を得る周波数変換手段と、
を有することを特徴とする受信装置。
【発明の詳細な説明】
【技術分野】
【０００１】
本発明は、伝送システム、送信装置、および、受信装置に関するものである。
【背景技術】
【０００２】
地上デジタル放送信号をＩＰ（Internet Protocol）網を介して伝送する技術としては、例えば、文献１に開示された技術がある。
【０００３】
特許文献１に開示された技術では、送信装置は、地上デジタル放送信号のＲＦ信号からデジタルデータを抽出し、伝送路信号に変換してＩＰ網に送出し、受信装置はＩＰ網から受信したバイナリデータを、インターリーブ処理を行うことなくデジタル放送信号に再変換して出力する。
【０００４】
このような技術によれば地上デジタル放送を伝送する際に、アナログ伝送方式で必要とされる高い直線性を有する高価な回路が不要になるとともに、復調してＩＰ網を介して伝送する際に発生する遅延を低減することができる。
【０００５】
また、非特許文献１に開示された技術では、受信した信号を周波数被変調波とし、レーザダイオードから出力される光を周波数変調して伝送路に出力する。
【０００６】
非特許文献１に開示された技術によれば、１ＧＨｚを超える衛星放送のＩＦ信号をそのまま周波数多重して伝送することができる。
【先行技術文献】
【特許文献】
【０００７】
【特許文献１】特開２０１２−６０３０３号公報
【非特許文献】
【０００８】
【非特許文献１】ＮＴＴ技術ジャーナル  ２００７．５  ＦＭ一括変換技術を用いた広域映像配信
【発明の概要】
【発明が解決しようとする課題】
【０００９】
ところで、特許文献１に開示された技術は、地上デジタル放送に用いられているＯＦＤＭ（Orthogonal Frequency Division Multiplex）変調に最適化された方式を利用したものであることから、他の変調方式、例えば、ｍＡＰＳＫ（Amplitude Phase Shift Keying（ｍは相値））やｎＰＳＫ（Phase Shift Keying（nは相値））等、規格の異なるベースバンド信号の場合、データが抽出できなくなるという問題がある。
【００１０】
また、各相位相シフトキーイングおよび振幅位相シフトキーイング変調では、ｎＱＡＭのような多値変調やＯＦＤＭ変調のような周波数分割多重方式に比べ、多値化が少ない代わりにｂａｕｄレートを上げることで伝送容量を増加させる。このため、受信したアナログ信号をアナログデジタル変換したそのもののデータを直接伝送しようとすると、信号が復元できるダイナミックレンジとサンプリングレートの関係から前述の伝送方式よりも伝送容量が増えてしまうという問題がある。
【００１１】
また、技術文献１に開示された技術では、周波数変調はアナログ変調であるため光の強度が低下すると復調できなくなることから、伝送距離が短くなるという問題がある。このため、ヘッドエンド装置を受信装置の近くに配置する必要が生じることから、多数のヘッドエンド装置を要し、コストが高くなるという問題がある。
【００１２】
また、周波数変調は原理的には周波数帯域が無限大に広がるため、被変調波の変異が大きければ伝送路の帯域を大幅に占有する問題があった。
【００１３】
さらに、ＩＰリニア放送を利用して伝送する場合、受信装置にセットトップボックスが必要となり、テレビジョン受像機と２つの受信装置を、テレビジョン受像機ごとに配置しなければならないことから、高価で複雑なシステムとなるという問題がある。
【００１４】
本発明は、以上の点を鑑みてなされたものであり、衛星放送信号を、ＩＰ網を介して効率良く伝送可能な伝送システム、送信装置、および、受信装置を提供することを目的としている。
【課題を解決するための手段】
【００１５】
上記課題を解決するために、本発明は、衛星放送信号を送信装置から受信装置にＩＰ網を介して伝送する伝送システムにおいて、前記送信装置は、前記衛星放送信号を入力する入力手段と、前記入力手段から入力された前記衛星放送信号を復調してデジタルデータを得る復調手段と、前記復調手段によって得られたデジタルデータをパケット化するパケット化手段と、前記パケット化手段によって得られたパケットに対して、再生の順序およびタイミングを示す同期情報を付加する付加手段と、前記付加手段によって前記同期情報が付加された前記パケットを、前記ＩＰ網を介して送信する送信手段と、を有し、前記受信装置は、前記ＩＰ網を介して伝送された前記パケットを受信する受信手段と、前記受信手段によって受信された前記パケットを前記同期情報に基づいて同期した後にデジタルデータ化するデータ化手段と、前記データ化手段によって得られた前記デジタルデータを、所定の変調方式で変調してベースバンド信号を得る変調手段と、前記ベースバンド信号をアナログ信号に変換するデジタルアナログ変換手段と、前記デジタルアナログ変換手段によって得られたアナログ信号の周波数を変換し、元の前記衛星放送信号を得る周波数変換手段と、を有することを特徴とする。
このような構成によれば、衛星放送信号を、ＩＰ網を介して効率良く伝送することが可能になる。
【００１６】
また、本発明は、前記変調手段および前記復調手段は、各位相シフトキーイングおよび各相振幅位相シフトキーイングによって変調および復調を行うことを特徴とする。
このような構成によれば、例えば、高度ＢＳ・ＣＳ衛星放送信号をＩＰ網を介して効率良く伝送することが可能になる。
【００１７】
また、本発明は、前記付加手段は、ＲＴＰ（Real-time Transport Protocol）に基づいて前記パケットの再生の順序およびタイミングを示す前記同期情報を生成し、前記データ化手段は、前記同期情報に基づいて前記パケットを同期した後にデジタルデータ化する、ことを特徴とする。
このような構成によれば、アナログ信号のリアルタイムデータを正確に再生することが可能になる。
【００１８】
また、本発明は、前記付加手段は、ＲＴＣＰ（Real-time Control Protocol）に基づいて前記パケットのパケット間ジッタおよびクロックスキューを算出するための送信時間を示す前記同期情報を生成し、前記データ化手段は、前記同期情報に基づいて前記パケットのクロックスキューおよびパケット間ジッタを調整した後にデジタルデータ化する、ことを特徴とする。
このような構成によれば、アナログ信号のリアルタイムデータを正確に再生することが可能になる。
【００１９】
また、本発明は、前記送信装置は、前記衛星放送信号に含まれている複数のトランスポンダから１または複数のトランスポンダを選択して前記パケットに変換して前記ＩＰ網を介して送信し、前記受信装置は、前記送信装置から前記ＩＰ網を介して送信された前記パケットから１または複数のトランスポンダに対応する放送信号を生成し、合成手段によって合成する、ことを特徴とする。
このような構成によれば、複数のトランスポンダを有する衛星放送信号を、ＩＰ網を介して効率良く伝送することが可能になる。
【００２０】
また、本発明は、前記周波数変換手段の後段に配置され、前記衛星放送信号を分配する分配手段を有することを特徴とする。
このような構成によれば、複数のテレビジョン受像機に対して衛星放送信号を供給することができる。
【００２１】
また、本発明は、前記分配手段は、前記衛星放送信号に対応する電気信号を分配することを特徴とする。
このような構成によれば、簡単な構成によって、複数のテレビジョン受像機に対して衛星放送信号を供給することができる。
【００２２】
また、本発明は、前記分配手段は、前記衛星放送信号に対応する電気信号を光信号に変換し、前記光信号を分配することを特徴とする。
このような構成によれば、信号の劣化を低減しつつ、複数のテレビジョン受像機に対して衛星放送信号を供給することができる。
【００２３】
また、本発明は、衛星放送信号を送信装置から受信装置にＩＰ網を介して伝送する伝送システムの前記送信装置において、前記衛星放送信号を入力する入力手段と、前記入力手段から入力された前記衛星放送信号を復調してデジタルデータを得る復調手段と、前記復調手段によって得られたデジタルデータをパケット化するパケット化手段と、前記パケット化手段によって得られたパケットに対して、再生の順序およびタイミングを示す同期情報を付加する付加手段と、前記付加手段によって前記同期情報が付加された前記パケットを、前記ＩＰ網を介して送信する送信手段と、を有することを特徴とする。
このような構成によれば、衛星放送信号を、ＩＰ網を介して効率良く伝送することが可能になる。
【００２４】
また、本発明は、衛星放送信号を送信装置から受信装置にＩＰ網を介して伝送する伝送システムの前記受信装置において、前記ＩＰ網を介して伝送されたパケットを受信する受信手段と、前記受信手段によって受信された前記パケットを、再生の順序およびタイミングを示す同期情報に基づいて同期した後にデジタルデータ化するデータ化手段と、前記データ化手段によって得られたデジタルデータを、所定の変調方式で変調してベースバンド信号を得る変調手段と、前記ベースバンド信号をアナログ信号に変換するデジタルアナログ変換手段と、前記デジタルアナログ変換手段によって得られたアナログ信号の周波数を変換し、元の前記衛星放送信号を得る周波数変換手段と、を有することを特徴とする。
このような構成によれば、衛星放送信号を、ＩＰ網を介して効率良く伝送することが可能になる。
【発明の効果】
【００２５】
本発明によれば、衛星放送信号を、ＩＰ網を介して効率良く伝送可能な伝送システム、送信装置、および、受信装置を提供することができる。
【図面の簡単な説明】
【００２６】
【図１】本発明の実施形態に係る伝送システムの構成例を示す図である。
【図２】図１に示す送信装置の詳細な構成例を示す図である。
【図３】図１に示す受信装置の詳細な構成例を示す図である。
【図４】高度ＢＳ・ＣＳ衛生放送信号の構成例を示す図である。
【図５】ＰＳＫおよびＡＰＳＫ変調／復調の信号点配置の一例を示す図である。
【図６】送信装置から送信されるＲＴＰパケットの一例を示す図である。
【図７】送信装置から送信されるＲＴＣＰパケットの一例を示す図である。
【図８】送信装置から送信されるパケットの一例を示す図である。
【図９】図３に示すＤ／Ａ変換部から出力される信号の一例を示す図である。
【図１０】図３に示す合成部の動作の一例を示す図である。
【図１１】受信装置の後段に複数のテレビジョン受像機を接続する場合の構成例である。
【図１２】受信装置の後段に複数のテレビジョン受像機を接続する場合の他の構成例である。
【図１３】受信装置の後段に複数のテレビジョン受像機を接続する場合のさらに他の構成例である。
【発明を実施するための形態】
【００２７】
次に、本発明の実施形態について説明する。
【００２８】
（Ａ）本発明の実施形態の構成の説明
図１は、本発明の実施形態に係る伝送システムの構成例を示す図である。図１に示すように、本発明の実施形態に係る伝送システム１は、送信装置１０、ＩＰ（Internet Protocol）網３０、受信装置５０−１〜５０−ｎ（ｎ＞１）、テレビジョン受像機７０−１〜７０−ｎを有している。
【００２９】
ここで、送信装置１０は、例えば、信号配信センターに配置され、アンテナによって受信した衛星放送信号を復調してデジタルデータ化するとともに、パケット化した後にＩＰ網３０を介して受信装置５０−１〜５０−ｎに対して送信する。
【００３０】
ＩＰ網３０は、例えば、数Ｍ〜数Ｇｂｐｓ程度の伝送が可能なＩＰ網によって構成され、送信装置１０から送信されるパケットを、受信装置５０−１〜５０−ｎのそれぞれに伝送する。
【００３１】
受信装置５０−１〜５０−ｎは、例えば、各家庭や集合住宅の管理室等に配置され、ＩＰ網３０を介して伝送されたパケットを受信し、元の衛星放送信号を生成して、テレビジョン受像機７０−１〜７０−ｎに供給する。
【００３２】
テレビジョン受像機７０−１〜７０−ｎは、受信装置５０−１〜５０−ｎから供給される衛星放送信号を入力し、放送信号に含まれる映像信号、音声信号、データ信号を再生し、表示部に表示するとともに、スピーカから放音する。
【００３３】
図２は、図１に示す送信装置１０の詳細な構成例を示す図である。図２に示すように、送信装置１０は、アンテナ１１、分配部１２、送信ユニット１３−１〜１３−ｍ（ｍ＞１）、および、ＨＵＢ１８を有している。
【００３４】
ここで、アンテナ１１は、例えば、パラボラアンテナによって構成され、図示しない人工衛星から送信される衛星放送信号を受信し、電気信号に変換して分配部１２に供給する。
【００３５】
分配部１２は、アンテナ１１から供給される電気信号を、送信ユニット１３−１〜１３−ｍに分配して供給する。
【００３６】
送信ユニット１３−１〜１３−ｍは、分配部１２から供給される電気信号（衛星放送信号）を復調して得られたデジタルデータをパケット化し、ＨＵＢ１８を介して送信する。なお、送信ユニット１３−１〜１３−ｍは、全て同様の構成とされるので、以下では、送信ユニット１３−１を例に挙げて説明する。
【００３７】
送信ユニット１３−１は、ＲＦ（Radio Frequency）チューナ１４、復調処理部１５、ＩＰ（Internet Protocol）パケット生成部１６、および、伝送処理部１７を有している。
【００３８】
ここで、ＲＦチューナ１４は、分配部１２から供給されるＲＦ信号から所望のトランスポンダの信号を抽出し、中間周波数の信号に変換した後に、Ａ／Ｄ（Analog to Digital）変換して出力する。
【００３９】
復調処理部１５は、ＲＦチューナ１４から供給される所定のトランスポンダの信号を、例えば、ＰＳＫ（Phase Shift Keying）およびＡＰＳＫ（Amplitude and Phase Shift Keying）復調処理し、得られたデジタルデータを出力する。
【００４０】
ＩＰパケット生成部１６は、復調処理部１５から供給されデジタルデータを、パケット化するとともに、ＲＴＰで規定される同期情報を付加して出力する。
【００４１】
伝送処理部１７は、ＩＰパケット生成部１６から出力されるパケットに対して、ＩＰヘッダを付加するとともに、ＴＣＰ（Transmission Control Protocol）またはＵＤＰ（User Datagram Protocol）ヘッダ等を付加して出力する。
【００４２】
ＨＵＢ１８は、送信ユニット１３−１〜１３−ｍから供給されるパケットを多重化し、ＩＰ網３０に対して送出する。
【００４３】
図３は、図１に示す受信装置５０−１〜５０−ｎの構成例を示す図である。なお、受信装置５０−１〜５０−ｎは同様の構成を有するので、以下では、受信装置５０−１を例に挙げ、説明を簡略化するために、受信装置５０として説明する。
【００４４】
図３に示すように、受信装置５０は、伝送処理部５１、受信ユニット５２−１〜５２−ｍ、および、合成部５７を有している。
【００４５】
ここで、伝送処理部５１は、ＩＰ網３０を介して伝送されるパケットを、トランスポンダ毎に別々のポートで受信し、対応する受信ユニット５２−１〜５２−ｍのそれぞれに供給する。より詳細には、送信ユニット１３−１から送信されたパケットは受信ユニット５２−１に供給し、同様にして、送信ユニット１３−２〜１３−ｍから送信されたパケットは受信ユニット５２−２〜５２−ｍにそれぞれ供給する。
【００４６】
受信ユニット５２−１〜５２−ｍは、伝送処理部５１から供給されるパケットから、トランスポンダ信号をそれぞれ生成して出力する。なお、受信ユニット５２−１〜５２−ｍは同様の構成とされているので、以下では、受信ユニット５２−１を例に挙げて説明する。
【００４７】
受信ユニット５２−１は、ＩＰパケット受信部５３、変調処理部５４、Ｄ／Ａ（Digital to Analog）変換部５５、および、同期クロック再生部５６を有している。
【００４８】
ＩＰパケット受信部５３は、伝送処理部５１から供給されるパケットを、ＲＴＰに基づいて順序およびタイミングを調整した後、デジタルデータに変換して出力する。
【００４９】
変調処理部５４は、ＩＰパケット受信部５３から供給されるデジタルデータに対して、例えば、ＰＳＫおよびＡＰＳＫ等の変調処理を施して出力する。
【００５０】
Ｄ／Ａ変換部５５は、変調処理部５４から供給されるデジタル信号をアナログ信号に変換して出力する。
【００５１】
同期クロック再生部５６は、ＩＰパケット、ＵＤＰパケットを解放した後、ＲＴＰパケットに含まれているシーケンス番号を参照してパケットの順序を必要に応じて変更するとともに、タイムスタンプ情報を参照してクロックを再生する。また、同期クロック再生部５６は、ＲＴＣＰパケット内のジッタ情報と送信タイムスタンプからクロックスキューを算出し同期クロックを再生する。
【００５２】
合成部５７は、受信ユニット５２−１〜５２−ｍから出力される各トランスポンダに対応する放送信号を多重化し、アップコンバートして元の衛星放送信号を生成して出力する。
【００５３】
（Ｂ）本発明の実施形態の動作の説明
つぎに、本発明の実施形態の動作について説明する。図２に示すアンテナ１１は、例えば、図４に示すようなＢＳ左旋信号およびＣＳ左旋信号を図示しない人工衛星から受信する。図４の例では、ＢＳ左旋信号は、２２２４．４１〜２６８０．８７ＭＨｚの帯域を有し、１２のトランスポンダを有している。また、ＣＳ左旋信号は、２７０８．７５〜３２２３．２５ＭＨｚの帯域を有し、１３のトランスポンダを有している。
【００５４】
分配部１２は、アンテナ１１から供給される、図４に示すような放送信号を含む電気信号を分配して送信ユニット１３−１〜１３−ｍにそれぞれ供給する。
【００５５】
送信ユニット１３−１〜１３−ｍは、図４に示す少なくとも一部のトランスポンダのそれぞれに対応しており、各トランスポンダの信号をパケット化して出力する。例えば、送信ユニット１３−１は、ＢＳ左旋信号の符号「８」が付与されたトランスポンダの信号に対する処理を実行する。なお、送信ユニット１３−１〜１３−ｍの動作は同様であるので、以下では、送信ユニット１３−１の動作を例に挙げて説明する。
【００５６】
ＲＦチューナ１４は、例えば、分配部１２から供給される電気信号から図４に示す符号「８」が付与されたトランスポンダの信号を抽出し、中間周波数に周波数変換するとともに、信号レベルを一定にし、Ａ／Ｄ変換して出力する。
【００５７】
復調処理部１５は、ＲＦチューナ１４から供給される信号に対して、例えば、ＰＳＫおよびＡＰＳＫ復調を施し、得られたデジタルデータを出力する。より詳細には、復調処理部１５は、例えば、図５に示すような信号点配置に基づいてＰＳＫおよびＡＰＳＫ変調が施されているＲＦ信号に対して、ＰＳＫおよびＡＰＳＫ復調を施し、図５の信号点の横に示す４ビットのデータに変換して出力する。なお、図５に示す信号点配置は一例であり、これ以外の配置であってもよい。すなわち、本発明は４ビットだけには限定されない。
【００５８】
ＩＰパケット生成部１６は、復調処理部１５から供給されるデジタルデータをパケット化するとともに、同期情報を付加して出力する。より詳細には、ＩＰパケット生成部１６は、復調処理部１５から供給されるデジタルデータを所定の長さに分割して、図６に示すパケットを構成する「ペイロードデータ」を生成するとともに、任意に決めることができる同期クロックでカウントするパケットの順序を示す「シーケンス番号」とサンプリングレートを示す「タイムスタンプ」を付加する。さらに、ＲＴＣＰパケットでは、図７に示すように、「パケット間隔ジッタ」を付加し、「最新送信レポートタイムスタンプ（ＬＳＲ）」と「最新送信レポート経過時間（ＤＳＬＲ）」を付加することで、受信側でクロックスキューを算出することができる。
【００５９】
伝送処理部１７は、図８に示すように、ＩＰパケット生成部１６から供給されるＲＴＰパケット８３が付加されたデータに対して、ＵＤＰパケットおよびＩＰパケット８１を付加して出力する。
【００６０】
送信ユニット１３−１〜１３−ｍから出力される図６に示すようなパケットは、ＨＵＢ１８によって多重化されてＩＰ網３０に送信される。
【００６１】
送信装置１０から送信されたデータは、例えば、マルチキャストやユニキャストによって受信装置５０−１〜５０−ｎにそれぞれ伝送される。なお、受信装置５０−１〜５０−ｎの動作は同様であるので、以下では、受信装置５０−１を例に挙げ、受信装置５０−１を受信装置５０として図３を参照して動作を説明する。
【００６２】
伝送処理部５１は、図２に示す送信ユニット１３−１〜１３−ｍのそれぞれから送信されたパケットを、対応するポートによりそれぞれ受信して、受信ユニット５２−１〜５２−ｍに供給する。なお、受信ユニット５２−１〜５２−ｍの動作は同様であるので、以下では、受信ユニット５２−１を例に挙げて説明する。
【００６３】
受信ユニット５２−１は、伝送処理部５１から供給されるパケット（例えば、図２に示す送信ユニット１３−１から送信されるパケット）を入力する。
【００６４】
受信ユニット５２−１のＩＰパケット受信部５３は、伝送処理部５１から供給されるパケットデータを同期クロック再生部５６へ供給する。同期クロック再生部５６では、ＩＰパケット、ＵＤＰパケットを解放した後、ＲＴＰパケット８３に含まれているシーケンス番号を参照してパケットの順序を必要に応じて変更するとともに、タイムスタンプ情報を参照してクロックを再生する。また、ＲＴＣＰパケット内のジッタ情報と送信タイムスタンプからクロックスキューを算出し同期クロックを再生する。この結果、ＩＰパケット受信部５３からは、送信時と同じ順序およびタイミングで、図６に示すパケットのデータ８４が出力される。
【００６５】
変調処理部５４は、ＩＰパケット受信部５３から出力されるデジタルデータに対して、例えば、ＰＳＫおよびＡＰＳＫ変調を施し、得られたデータを出力する。より詳細には、変調処理部５４は、ＩＰパケット受信部５３から出力されるデジタルデータを４ビット毎に分割し、４ビットのデータを、例えば、図５に示す信号点配置に基づいてＰＳＫおよびＡＰＳＫ変調を施して出力する。
【００６６】
Ｄ／Ａ変換部５５は、変調処理部５４から供給されるデジタル信号をアナログ信号に変換して出力する。この結果、受信ユニット５２−１〜５２−ｍのそれぞれが有するＤ／Ａ変換部５５からは、例えば、図９に示すような（１）〜（ｍ）の信号（各トランスポンダに対応する信号）が出力される。なお、図９の例では、各トランスポンダは同じ周波数帯を有している。
【００６７】
合成部５７は、受信ユニット５２−１〜５２−ｍのそれぞれから出力されるアナログ信号のトランスポンダを、元の周波数になるように、すなわち、図１０の上段に示すように、各トランスポンダの信号が重複しないように周波数変換をする。また、合成部５７は、このようにして周波数変換を施したアナログ信号を、図１０の中段に示すように合成する。なお、図１０の中段の例では、トランスポンダは、略０Ｈｚ〜略１ＧＨｚの範囲内に配置されている。つぎに、合成部５７は、図１０の下段に示すように、元の衛星放送信号と同じ周波数帯域となるように周波数変換を施す。図１０の下段の例では、トランスポンダは、略２．２ＧＨｚ付近〜略３．２ＧＨｚの範囲内に配置されている。このようにして得られた元の衛星放送信号は、テレビジョン受像機７０−１に供給される。
【００６８】
テレビジョン受像機７０−１は、受信装置５０−１から供給される衛星放送信号を、人工衛星からアンテナを使用して受信した場合と同様に再生することができる。
【００６９】
以上に説明したように、本発明の実施形態では、送信装置から受信装置に対してデジタル信号を送信するようにしたので、アナログ信号を送信する場合に比較して、伝送距離を飛躍的に伸ばすことができる。
【００７０】
また、本発明の実施形態では、送信装置１０では、復調処理によって得られたデータを送信するようにしたので、伝送容量を少なくすることができる。
【００７１】
また、本発明の実施形態では、ＲＴＰ／ＲＴＣＰによってパケットの並べ替えを行うとともに、再生タイミングを調整するようにしたので、音声や映像を遅延なく再生することができる。
【００７２】
（Ｃ）変形実施形態の説明
以上の実施形態は一例であって、本発明が上述したような場合のみに限定されるものでないことはいうまでもない。例えば、図１に示す実施形態では、受信装置５０−１〜５０−ｎには１台のテレビジョン受像機７０−１〜７０−ｎが接続されるようにしたが、複数台のテレビジョン受像機が接続されるようにしてもよい。例えば、受信装置を集合住宅の管理室に設置し、各居住者の部屋に配置されているテレビジョン受像機（複数）に対して衛星放送信号を配信するようにしてもよい。
【００７３】
より詳細には、例えば、図１１〜図１３に示すように受信装置５０−１の後段に複数のテレビジョン受像機が接続されるようにしてもよい。図１１の例では、受信装置５０−１の後段に分配器６１−１を設け、分配器６１−１によって分配された電気信号を、テレビジョン受像機７０−１−１〜７０−１−ｐ（ｐ＞１）に供給する例を示している。なお、図１１では、図１に示す受信装置５０−１を例に挙げて説明しているが、受信装置５０−２〜５０−ｎについても図１１と同様の構成としてもよいことはいうまでもない。
【００７４】
図１２は、光信号を分配する例を示している。すなわち、図１２の例では、受信装置５０−１の後段に電気信号を光信号に変換するＥ／Ｏ６２−１を配置し、Ｅ／Ｏ６２−１の光出力を光分配器６３−１によって分配し、光信号を電気信号に変換するＯ／Ｅ６４−１〜６４−ｐ（ｐ＞１）によって電気信号に変換した後、テレビジョン受像機７０−１−１〜７０−１−ｐに供給している。なお、図１２では、図１に示す受信装置５０−１を例に挙げて説明しているが、受信装置５０−２〜５０−ｎについても図１２と同様の構成としてもよいことはいうまでもない。
【００７５】
図１３は、光信号を分配する他の例を示している。すなわち、図１３の例では、受信装置５０−１の後段に電気信号を分配する分配器６３−１を配置し、分配器６３−１によって分配された電気信号を光信号に変換するＥ／Ｏ６２−１〜６２−ｑを配置し、Ｅ／Ｏ６２−１から出力される光信号をマルチポート光アンプ６５−１によって増幅した後に分配し、Ｏ／Ｅ６４−１〜６４−ｐ（ｐ＞１）によって電気信号に変換した後、テレビジョン受像機７０−１−１〜７０−１−ｐに供給している。なお、図１３では、図１に示す受信装置５０−１を例に挙げて説明しているが、受信装置５０−２〜５０−ｎについても図１３と同様の構成としてもよいことはいうまでもない。また、図１３の例では、図面を簡略化するためにＥ／Ｏ６２−１の後段のみを例示しているが、Ｅ／Ｏ６２−２〜６２−ｑの後段についてもＥ／Ｏ６２−１と同様の構成とすることができる。
【００７６】
なお、図１１〜図１３において、受信装置５０−１、分配器６１−１、Ｅ／Ｏ６２−１〜６２−ｑ、および、光分配器６３−１等については、例えば、集合住宅の管理室や、ＣＡＴＶシステムのサブセンタ等に配置することができる。
【００７７】
また、図１１〜図１３の構成については、集合住宅の既存の館内配線、既存の光ネットワークシステム、既存の電気ネットワークシステムを流用し、これらの配線またはネットワークに対して、本発明の電気信号または光信号を伝送するようにしてもよい。
【００７８】
また、以上の実施形態では、図４に示すＢＳ左旋信号およびＣＳ左旋信号を処理対象としたが、これら以外の衛星放送を処理対象としてもよい。また、図４に示すトランスポンダは一例であり、これら以外のトランスポンダを対象とするようにしてもよい。
【００７９】
また、図２に示す実施形態では、アンテナ１１によって受信された衛星放送信号を処理対象としたが、アンテナ１１以外の手段によって衛星放送信号を受信するようにしてもよい。
【００８０】
また、図９および図１０に示すトランスポンダの合成方法は一例であって、これ以外の方法によって合成するようにしてもよい。例えば、図１０の下段に示す略２．２〜略３．２ＧＨｚの信号を受信ユニット５２−１〜５２−ｍが有するＤ／Ａ変換部５５からそれぞれ出力し、合成部５７によって合成するようにしてもよい。あるいは、図１０の上段に示す０〜１ＧＨｚの信号を受信ユニット５２−１〜５２−ｍが有するＤ／Ａ変換部５５からそれぞれ出力し、図１０の中段に示すように合成部５７によって合成した後、周波数変換によって図１０の下段に示すように変換するようにしてもよい。
【００８１】
また、図５に示す信号点配置は、一例であって、これ以外の配置を用いるようにしてもよい。例えば、内側と外側の円の半径が図５に示すものとは異なってもよい。あるいは、各信号点と４ビットデータの対応関係を変えてもよい。さらに、図５の例はＰＳＫおよびＡＰＳＫであるが、１６相振幅位相シフトキーイングおよび各相位相シフトキーイング以外、直交振幅変調等の他の信号点を配置するようにしてもよい。これはデジタルデータが４ビットデータでなくてもよいことを示している。
【００８２】
また、以上の実施形態では、パケットの並べ替えと、再生タイミングを特定するプロトコルとしてＲＴＰ／ＲＴＣＰを用いるようにしたが、これ以外のプロトコルを用いるようにしてもよい。
【００８３】
また、以上の実施形態では、変調および復調としては、ＰＳＫおよびＡＰＳＫを例に挙げて説明したが、これ以外の変調および復調方式を用いるようにしてもよい。もちろん、Ｉ／Ｑデータが出力される直交変調を用いるようにしてもよい。
【００８４】
また、送信装置１０から送信するパケットに対して、例えば、図５に示す信号点配置を規定する情報や、符号化する際の符号化率を示す情報等の制御情報を付加して送信するようにしてもよい。
【００８５】
また、以上の実施形態では、テレビジョン受像機７０−１〜７０−ｎを接続する場合を例に挙げて説明したが、測定器（例えば、コンスタレーションや受信信号の状態を測定する機器）を接続するようにしてもよい。
【符号の説明】
【００８６】
１  伝送システム
１０  送信装置
１１  アンテナ
１２  分配部
１３−１〜１３−ｍ  送信ユニット
１４  ＲＦチューナ（入力手段）
１５  復調処理部（復調手段）
１６  ＩＰパケット生成部（パケット化手段、付加手段）
１７  伝送処理部（送信手段）
１８  ＨＵＢ
３０  ＩＰ網
５０−１〜５０−ｎ  受信装置
５１  伝送処理部（受信手段）
５２−１〜５２−ｍ  受信ユニット
５３  ＩＰパケット受信部（データ化手段）
５４  変調処理部（変調手段）
５５  Ｄ／Ａ変換部（デジタルアナログ変換手段）
５６  同期クロック再生部
５７  合成部（周波数変換手段、合成手段）
７０−１〜７０−ｎ  テレビジョン受像機
【図１】
2018085711.tif 000003
【図２】
2018085711.tif 000004
【図３】
2018085711.tif 000005
【図４】
2018085711.tif 000006
【図５】
2018085711.tif 000007
【図６】
2018085711.tif 000008
【図７】
2018085711.tif 000009
【図８】
2018085711.tif 000010
【図９】
2018085711.tif 000011
【図１０】
2018085711.tif 000012
【図１１】
2018085711.tif 000013
【図１２】
2018085711.tif 000014
【図１３】
2018085711.tif 000015